(57)【要約】【課題】強制循環水路を利用し洗剤液を循環する洗濯機において、所定水量よりも少ない水量の洗剤の濃度が高濃度の洗濯水で洗濯するときや、洗濯兼脱水槽内の水位が低い場合においても吐出量を十分に得られるようにし、洗濯水の循環効率を上げることにより洗剤の溶解を促進し、洗浄性能を向上する。【解決手段】外槽４内に内包した洗濯兼脱水槽１の底部にパルセータ２を回転自在に配設し、洗濯兼脱水槽１の上部に流体バランサ８を配設し、パルセータ２の下側羽根１０の外周に形成したポンプ室１１から流体バランサ８近傍まで強制循環水路１６を形成する。強制循環水路１６に、パルセータ２の下側羽根１０によるポンプアップ作用により洗濯水を洗濯兼脱水槽１の上部より吐出する第１の吐出口１７と、この第１の吐出口１７よりも下方に位置する第２の吐出口１８とを設ける。【選択図】　図１
2004081652.tif 000002
【特許請求の範囲】
【請求項１】
洗濯兼脱水槽の底部に回転自在に配設したパルセータと、前記洗濯兼脱水槽を内包する外槽と、前記洗濯兼脱水槽の上部に配設した流体バランサと、前記パルセータの下側羽根の外周に形成したポンプ室から前記流体バランサ近傍まで形成した強制循環水路とを備え、前記強制循環水路に、前記パルセータの下側羽根によるポンプアップ作用により洗濯水を前記洗濯兼脱水槽の上部より吐出する第１の吐出口と、この第１の吐出口よりも下方に位置する第２の吐出口とを設けた洗濯機。
【請求項２】
洗濯兼脱水槽に少なくとも１対の強制循環水路を対向して設けた請求項１記載の洗濯機。
【請求項３】
洗濯兼脱水槽に少なくとも１対の強制循環水路を対向して設け、一方の強制循環水路の上部の第１の吐出口の位置を他方の強制循環水路の第１の吐出口よりも低くした請求項１または２記載の洗濯機。
【請求項４】
一方の強制循環水路に設けた第１の吐出口および第２の吐出口は、他方の強制循環水路に設けた第１の吐出口および第２の吐出口の高さ方向の位置と異なる位置に設けた請求項２または３記載の洗濯機。
【請求項５】
一方の強制循環水路の第１の吐出口および第２の吐出口の位置は、他方の強制循環水路の第１の吐出口および第２の吐出口の位置よりもそれぞれ高く、かつ、一方の強制循環水路の第２の吐出口は他方の強制循環水路の第１の吐出口よりも低くした請求項２〜４のいずれか１項に記載の洗濯機。
【請求項６】
強制循環水路に設けた吐出口は、その開口部の下端中央部の高さを、下端両側の高さより高くした請求項１〜５のいずれか１項に記載の洗濯機。
【発明の詳細な説明】
【０００１】
【発明の属する技術分野】
本発明は、洗濯兼脱水槽内に設けた強制循環水路を利用し洗剤液を循環する洗濯機に関するものである。
【０００２】
【従来の技術】
従来、代表的な洗濯機は、パルセータと呼ばれる撹拌翼を回転させて洗濯するものであり、この種の洗濯機の構成を図６を参照しながら説明する。
【０００３】
図６に示すように、洗濯兼脱水槽１は、底部にパルセータ２を回転自在に配設し、底部裏面に取り付け用のフランジ３を取り付けている。外槽４は、洗濯兼脱水槽１の外側に設けており、外槽４の下面に洗濯兼脱水槽１およびパルセータ２を駆動するモータ５を取り付けている。また、外槽４は、外枠６にサスペンション７によって防振支持されている。洗濯兼脱水槽１の上部に液体を内封した流体バランサ８が固着している。
【０００４】
洗濯兼脱水槽１の側面部に強制循環水路９を形成しており、パルセータ２の回転により、パルセータ２の裏面の水がパルセータ２の下側羽根１０の外周に形成したポンプ室１１から強制循環水路９を通り、流体バランサ８まで到達して強制循環水路９の開口部１２より洗濯兼脱水槽１内に吐出するようにしている。
【０００５】
【発明が解決しようとする課題】
このような従来の洗濯機では、強制循環水路９を通して循環吐出される水量は、開口部１２と水面の位置関係の影響が大きく、洗濯する衣類の所定水量よりも少ない水量を給水し高濃度の洗濯水で洗濯するときや、洗濯する衣類が少なく水位が低い低水位や少量水位のときには、循環吐出される水量は少なく、洗剤の溶解の促進や洗剤を衣類にかけることによる洗浄の向上が望みにくいという問題を有していた。
【０００６】
本発明は上記課題を解決するもので、所定水量よりも少ない水量の洗剤の濃度が高濃度の洗濯水で洗濯するときや、洗濯兼脱水槽内の水位が低い場合においても吐出量を十分に得られるようにし、洗濯水の循環効率を上げることにより洗剤の溶解を促進し、洗浄性能を向上することを目的としている。
【０００７】
【課題を解決するための手段】
本発明は上記目的を達成するために、外槽内に内包した洗濯兼脱水槽の底部にパルセータを回転自在に配設し、洗濯兼脱水槽の上部に流体バランサを配設し、パルセータの下側羽根の外周に形成したポンプ室から流体バランサ近傍まで強制循環水路を形成し、強制循環水路に、パルセータの下側羽根によるポンプアップ作用により洗濯水を洗濯兼脱水槽の上部より吐出する第１の吐出口と、この第１の吐出口よりも下方に位置する第２の吐出口とを設けたものである。
【０００８】
これにより、所定水量よりも少ない水量の洗剤の濃度が高濃度の洗濯水で洗濯するときや、洗濯兼脱水槽内の水位が低い場合においても吐出量を十分に得ることができ、洗濯水の循環効率を上げることにより洗剤の溶解を促進することができ、洗浄性能を向上することができる。
【０００９】
【発明の実施の形態】
本発明の請求項１に記載の発明は、洗濯兼脱水槽の底部に回転自在に配設したパルセータと、前記洗濯兼脱水槽を内包する外槽と、前記洗濯兼脱水槽の上部に配設した流体バランサと、前記パルセータの下側羽根の外周に形成したポンプ室から前記流体バランサ近傍まで形成した強制循環水路とを備え、前記強制循環水路に、前記パルセータの下側羽根によるポンプアップ作用により洗濯水を前記洗濯兼脱水槽の上部より吐出する第１の吐出口と、この第１の吐出口よりも下方に位置する第２の吐出口とを設けたものであり、パルセータの下側羽根によるポンプアップ作用により、第１の吐出口と第２の吐出口より洗濯水を吐出することができ、所定水量よりも少ない水量の洗剤の濃度が高濃度の洗濯水で洗濯するときや、洗濯兼脱水槽内の水位が低い場合においても吐出量を十分に得ることができ、洗濯水の循環効率を上げることにより洗剤の溶解を促進することができ、洗浄性能を向上することができる。
【００１０】
請求項２に記載の発明は、上記請求項１に記載の発明において、洗濯兼脱水槽に少なくとも１対の強制循環水路を対向して設けたものであり、循環水の吐出口を増やすことができて、洗濯水の循環流量がさらに増えるため、洗剤の溶解を促進することができ、洗浄性能を向上することができる。
【００１１】
請求項３に記載の発明は、上記請求項１または２に記載の発明において、洗濯兼脱水槽に少なくとも１対の強制循環水路を対向して設け、一方の強制循環水路の上部の第１の吐出口の位置を他方の強制循環水路の第１の吐出口よりも低くしたものであり、所定水量よりも少ない水量の洗剤の濃度が高濃度の洗濯水で洗濯するときや、洗濯兼脱水槽内の水位が低い場合においても吐出量を十分に得ることができ、また、循環水の吐出口を増やすことで洗濯水の循環流量がさらに増え、洗濯水の循環効率を上げることにより洗剤の溶解を促進することができ、洗浄性能を向上することができる。
【００１２】
請求項４に記載の発明は、上記請求項２または３に記載の発明において、一方の強制循環水路に設けた第１の吐出口および第２の吐出口は、他方の強制循環水路に設けた第１の吐出口および第２の吐出口の高さ方向の位置と異なる位置に設けたものであり、各々の設定水位に対して十分な循環水の吐出口を設置することができるとともに、所定水量より少ない水量の洗剤の濃度が高濃度の洗濯水で洗濯するときや、洗濯兼脱水槽内の水位が低い場合においても吐出量を十分に得ることができ、また、循環水の吐出口を増やすことで洗濯水の循環流量がさらに増え、洗濯水の循環効率を上げることにより洗剤の溶解を促進することができ、洗浄性能を向上することができる。
【００１３】
請求項５に記載の発明は、上記請求項２〜４に記載の発明において、一方の強制循環水路の第１の吐出口および第２の吐出口の位置は、他方の強制循環水路の第１の吐出口および第２の吐出口の位置よりもそれぞれ高く、かつ、一方の強制循環水路の第２の吐出口は他方の強制循環水路の第１の吐出口よりも低くしたものであり、各々の設定水位に対して十分な循環水の吐出口を設置することができるとともに、所定水量より少ない水量の洗剤の濃度が高濃度の洗濯水で洗濯するときや、洗濯兼脱水槽内の水位が低い場合においても吐出量を十分に得ることができ、また、循環水の吐出口を増やすことで洗濯水の循環流量がさらに増え、洗濯水の循環効率を上げることにより洗剤の溶解を促進することができ、洗浄性能を向上することができる。
【００１４】
請求項６に記載の発明は、上記請求項１〜５に記載の発明において、強制循環水路に設けた吐出口は、その開口部の下端中央部の高さを、下端両側の高さより高くしたものであり、強制循環水路からの吐出パターンを広角に吐出することができ、洗濯兼脱水槽内の衣類に万遍なく振りかけることができる。
【００１５】
【実施例】
以下、本発明の実施例について、図面を参照しながら説明する。なお、従来例と同じ構成のものは同一符号を付して説明を省略する。
【００１６】
（実施例１）
図１に示すように、排水弁１３は外槽４内の洗濯水を排水し、給水弁１４は洗濯兼脱水槽１内に給水するものである。制御装置１５は、モータ５、排水弁１３、給水弁１４などを制御して、洗濯、すすぎ、脱水の一連の工程を逐次制御するものである。
【００１７】
洗濯兼脱水槽１の側面部に、パルセータ２の下側羽根１０の外周に形成したポンプ室１１から流体バランサ８の近傍まで強制循環水路１６を形成しており、この強制循環水路１６に、パルセータ２の下側羽根１０によるポンプアップ作用により洗濯水を洗濯兼脱水槽１の上部より吐出する第１の吐出口１７と、この第１の吐出口１７よりも下方に位置する第２の吐出口１８とを設けている。
【００１８】
上記構成において動作を説明すると、図２に示すように、制御手段１５は、洗濯兼脱水槽１内に投入された洗濯物の所定水量ａの約１／２ａの水量まで給水弁１４を動作させ、水位検知手段１９により検知した水位が１／２ａに達した時点で給水弁１４の動作を停止し、洗濯水の濃度が約２倍の高濃度の洗濯水でモータ５を駆動し、パルセータ２の撹拌力で所定時間ｔ１まで高濃度撹拌をした後、給水弁１４を再び動作し、所定水量まで給水し撹拌する行程を行う。
【００１９】
このとき、洗濯兼脱水槽１内の水位が所定水量ａの１／２の水量のように少ないときは、パルセータ２の回転によりパルセータ２の裏面の水は強制循環水路１６を通り上方へと揚がるが、第１の吐出口１７から吐出する循環水の量は少なく、場合によっては循環水を吐出できないが、第１の吐出口１７より下方に位置する第２の吐出口１８より循環水を吐出することができる。
【００２０】
さらに、洗濯兼脱水槽１内の水量が所定水量ａになり、水位が高いときは、第１の吐出口１７より洗濯兼脱水槽１内に吐出することができる。このとき、第２の吐出口１８は水面下にあり、水中に循環水を吐出している。
【００２１】
このことにより、洗濯水の濃度が約２倍の高濃度の洗濯水で洗浄を行うとき、必然的に水位が低くなる場合や、低水位や少量水量などの所定水量の水が洗濯兼脱水槽１内に入っても水位が低くなる場合においても、第１の吐出口１７または第２の吐出口１８からの吐出量を十分に得ることができ、洗濯水の循環効率が上がるため洗剤の溶解を促進することができ、高濃度の洗濯水を使って洗濯物を洗うことができるため、洗剤量を増やすことなく洗浄性能を向上することができ、使用水量を低減することができる。
【００２２】
また、水位が高水位のときは、水面上に浮上する衣類に対しては第１の吐出口１７から吐出される洗濯水により洗濯物を沈め、さらに、洗濯水を洗濯兼脱水槽１内の衣類に振りかけるようにすることができるため、洗浄むらを低減し、洗浄性能を向上することができる。
【００２３】
（実施例２）
図３に示すように、洗濯兼脱水槽１内に第１の強制循環水路２０および第２の強制循環水路２１を形成し、それぞれ洗濯兼脱水槽１内の対向した位置に配置している。第１の強制循環水路２０には第１の吐出口２２と、この第１の吐出口２２よりも下方の高さに第２の吐出口２３を形成し、第２の強制循環水路２１にも同様に、第１の吐出口２４と、この第１の吐出口２４よりも下方の高さに第２の吐出口２５を形成し、さらに第１の吐出口２４は、第１の強制循環水路２０の第１の吐出口２２よりも低い位置に設けている。他の構成は実施例１と同じであり、同一符号を付して説明を省略する。
【００２４】
上記構成において動作を説明すると、上記実施例１で説明した少ない水量の高濃度の洗濯水で洗濯を行う場合や、低水位や少量水量などの所定水量の水が洗濯兼脱水槽１内に入っても水位が低くなる場合において、第１の強制循環水路２０の第１の吐出口２２からの吐出する循環水の量は少なく、場合によっては循環水を吐出できないが、第２の強制循環水路２１の第１吐出口２４および第２の吐出口２５および第１の強制循環水路２０の第２の吐出口２３より循環水を吐出することができる。
【００２５】
また、洗濯兼脱水槽１内の水位が高いとき、パルセータ２の回転によりパルセータ２裏面の水は第１の強制循環水路２０を通り流体バランサ８まで到達して第１の吐出口２２より洗濯兼脱水槽１内に吐出する。このとき、第２の強制循環水路２１の第１の吐出口２４、第２の吐出口２５および第１の強制循環水路２０の第２の吐出口２３は水面下にあり、水中に循環水を吐出している。
【００２６】
このことにより、洗濯水の濃度が約２倍の高濃度の洗濯水で洗浄を行うとき、必然的に水位が低くなる場合や、低水位や少量水量などの所定水量の水が洗濯兼脱水槽１内に入っても水位が低くなる場合においても、循環水の吐出口の数を増やすことで吐出量を十分に得ることができ、洗濯水の循環効率が上がるため洗剤の溶解を促進することができる。また、高濃度の洗濯水を使って洗濯物を洗うことができるため、洗剤量を増やすことなく洗浄性能を向上することができ、使用水量を低減することができる。
【００２７】
さらに、水位が高水位のときは、水面上に浮上する衣類に対しては第１の吐出口２２から吐出される洗濯水により洗濯物を沈め、さらに、洗濯水を洗濯兼脱水槽１内の衣類に振りかけるようにすることができるため、洗浄むらを低減し、洗浄性能を向上することができる。
【００２８】
（実施例３）
図４に示すように、洗濯兼脱水槽１内に第１の強制循環水路２６および第２の強制循環水路２７を形成し、それぞれ洗濯兼脱水槽１内の対向した位置に配置している。第１の強制循環水路２６には第１の吐出口２８と、第１の吐出口２８よりも下方の高さに第２の吐出口２９を形成し、第２の強制循環水路２７にも同様に、第１の吐出口３０と、第１の吐出口３０よりも下方の高さに第２の吐出口３１を形成している。
【００２９】
さらに、第１の強制循環水路２６の第１の吐出口２８は、第２の強制循環水路２７の第１の吐出口３０とは異なる高さにあり、また、第２の吐出口２９、３１においてもそれぞれ異なる高さに設けている。
【００３０】
各強制循環水路の各吐出口の高さ位置は、各洗濯水位よりも２０ｍｍほど高い位置に設置している。例えば、図４に示すように、第１の強制循環水路２６の第１の吐出口２８の高さ位置は、高水位ｂよりも２０ｍｍほど高い位置に設置し、第２の強制循環水路２７の第１の吐出口３０の高さ位置は、中水位ｃよりも２０ｍｍほど高い位置に設置し、第１の強制循環水路２６の第２の吐出口２９の高さ位置は、低水位ｄ（＝１／２ｂ）よりも２０ｍｍほど高い位置に設置し、第２の強制循環水路２７の第２の吐出口３１の高さ位置は、少量水位ｅ（＝１／２ｃ）よりも２０ｍｍほど高い位置に設置している。他の構成は実施例１と同じであり、同一符号を付して説明を省略する。
【００３１】
上記構成において動作を説明すると、定格容量の洗濯物を投入された場合、洗濯水位は高水位ｂに設定される。制御手段１５は高水位ｂの１／２の水量である低水位ｄまで給水弁１４を動作させ、水位検知手段１９により検知した水位が低水位ｄに達した時点で給水弁１４の動作を停止し、洗濯水の濃度が約２倍の洗濯水でモータ５を駆動し、高濃度撹拌をした後、給水弁１４を再び動作させ、所定水位ｂまで給水し撹拌する行程を行う。
【００３２】
洗濯兼脱水槽１内の水位が所定水位ｂの１／２の水位のより低いときは、パルセータ２の回転によりパルセータ２の裏面の水は第１の強制循環水路２６および第２の強制循環水路２７を通り上方へと揚がり、第１の強制循環水路２６の第２の吐出口２９および第２の強制循環水路２７の第２の吐出口３１から循環水を吐出することができる。また、場合によっては、第２の強制循環水路２７の第１の吐出口３０から循環水を吐出することができる。
【００３３】
また、高水位以外の設定水位についても、高濃度撹拌時および所定水位のときに、少なくとも１つ以上の吐出口から循環水を吐出することができる。
【００３４】
このように、選択されたどの設定水位においても、より多くの循環水を吐出できるため洗濯水の循環効率を高めることができて、洗剤の溶解性を促進するとともに、高濃度の洗濯水を洗濯兼脱水槽１内の洗濯物に振りかけることができるため、洗浄むらを低減できて、洗浄性能を向上することができる。
【００３５】
さらに、所定水位に給水した場合でも、各水位よりも高い位置に少なくとも１つ以上の吐出口を設置しているため、洗濯水により洗濯物を沈め、洗濯水を洗濯兼脱水槽１内の衣類に振りかけることができるため、洗浄むらを低減し、洗浄性能を向上することができる。
【００３６】
（実施例４）
図５に示すように、強制循環水路３２は略円弧状に形成しており、強制循環水路３２の吐出口は、その開口部の下端中央部３３の高さを下端両側３４よりも高くしている。他の構成は実施例１と同じである。
【００３７】
上記構成において動作を説明すると、吐出口の開口部より吐出される洗濯水は、下端中央部３３において上端部との隙間が狭いため、そこから吐出する吐出量Ａよりも、隙間が広い両端側の開口部からの吐出量Ｂが増えるとともに、流速も増えるため循環水を両端側に広がる広角に吐出することができる。
【００３８】
これにより、洗濯兼脱水槽内の衣類に万遍なく振りかけることができるため、洗浄むらを低減することができる。
【００３９】
【発明の効果】
以上のように、本発明の請求項１に記載の発明によれば、強制循環水路に、パルセータの下側羽根によるポンプアップ作用により洗濯水を洗濯兼脱水槽の上部より吐出する第１の吐出口と、この第１の吐出口よりも下方に位置する第２の吐出口とを設けたことにより、所定水量よりも少ない水量の洗剤の濃度が高濃度の洗濯水で洗濯するときや、洗濯兼脱水槽内の水位が低い場合においても吐出量を十分に得ることができ、洗濯水の循環効率を上げることにより洗剤の溶解を促進することができ、洗浄性能を向上することができる。
【図面の簡単な説明】
【図１】本発明の第１の実施例の洗濯機の縦断面図
【図２】同洗濯機の洗濯行程の動作タイムチャート
【図３】本発明の第２の実施例の洗濯機の縦断面図
【図４】本発明の第３の実施例の洗濯機の縦断面図
【図５】（ａ）本発明の第４の実施例の洗濯機の強制循環水路の正面図
（ｂ）同洗濯機の強制循環水路の上面図
【図６】従来の洗濯機の縦断面図
【符号の説明】
１　洗濯兼脱水槽
２　パルセータ
４　外槽
８　流体バランサ
１０　下側羽根
１１　ポンプ室
１６　強制循環水路
１７　第１の吐出口
１８　第２の吐出口
【図１】
2004081652.tif 000003
【図２】
2004081652.tif 000004
【図３】
2004081652.tif 000005
【図４】
2004081652.tif 000006
【図５】
2004081652.tif 000007
【図６】
2004081652.tif 000008